(57)【要約】（課題）錠剤（Ａ）と、カセット容器（１）やロータ（２）との摩擦帯電により静電気が発生しても、その静電気を簡単に除去することができる静電気除去部材及び静電気除去方法を提供する。（解決手段）金属等の摩擦帯電し難く、しかも多数の尖端凸部（５）を有する放電体（４）を、錠剤フィーダのカセット容器（１）内に錠剤（Ａ）と共に収容し、カセット容器（１）やロータ（２）との摩擦により帯電する電荷を、上記放電体（４）の尖端凸部（５）により尖端放電させて電荷を除去する。【選択図】図１
2012133094.tif 000002
【特許請求の範囲】
【請求項１】
金属等の摩擦帯電し難く、しかも多数の尖端凸部を有する放電体からなり、錠剤フィーダのカセット容器内に錠剤と共に収容し、摩擦帯電した電荷を除去する静電気除去部材。
【請求項２】
上記放電体が、表面に金属溶射により多数の尖端凸部を設けた金属塊からなる請求項１記載の静電気除去部材。
【請求項３】
上記放電体が、先端が針状の尖端凸部を有する多数本の金属線の塊からなる請求項１記載の静電気除去部材。
【請求項４】
上記放電体が、ブラシ状の細い金属線からなる請求項１記載の静電気除去部材。
【請求項５】
上記放電体を糸によってカセット容器内に吊り下げ支持される請求項１〜４に記載の静電気除去部材。
【請求項６】
金属等の摩擦帯電し難く、しかも多数の尖端凸部を有する放電体を、錠剤フィーダのカセット容器内に錠剤と共に収容し、カセット容器やロータとの摩擦により帯電した電荷を、上記放電体の尖端凸部により尖端放電させて除去することを特徴とする錠剤フィーダのカセット容器内の静電気除去方法。
【発明の詳細な説明】
【技術分野】
【０００１】
この発明は、一包分の錠剤を分包する錠剤分包機や、錠剤をカウントする錠剤カウントマシン等に設置されている、錠剤をかき混ぜながら排出口から排出する錠剤フィーダの静電気除去部材及び静電気除去方法に関するものである。ここで、錠剤とは、カプセルを含む概念で使用する。
【背景技術】
【０００２】
従来、病院の薬局や調剤薬局等において使用されている錠剤分包機や、錠剤をカウントして各種容器に詰める際に使用する錠剤カウントマシンでは、錠剤をかき混ぜながら、錠剤を排出口から排出する錠剤フィーダを備えている。【０００３】
例えば、錠剤分包機の錠剤フィーダは、図７に示すように、錠剤Ａを収納するカセット容器１と、カセット容器１内の錠剤を排出するロータ２とを備えている（特許文献1、２）。【０００４】
カセット容器１の錠剤は、ロータ２によってカセット容器１内でかき混ぜながら、ロータ２の錠剤配列盤３によって整列させられ、錠剤排出孔４から一錠ずつ必要数量が排出される。【０００５】
また、錠剤カウントマシンでも、図８に示すように、カセット容器５の錠剤は、ロータ６によってカセット容器５内でかき混ぜながら、ロータ６の錠剤整列溝８に整列させられ、錠剤排出孔７から一錠ずつ必要数量をカウントしながら排出している。
【先行技術文献】
【特許文献】
【０００６】
【特許文献１】実開平７−４３０２号公報
【特許文献２】特開平９−３９９１０号公報
【発明の開示】
【発明が解決しようとする課題】
【０００７】
ところで、上記のカセット容器１、５やロータ２、６は、プラスチック製（ポリアセタール樹脂、ポリエチレンテレフタレート、ポリスチレン等）であるから、その中で錠剤Ａがかき混ぜられると、錠剤Ａ同士、あるいは錠剤Ａと、カセット容器１、５やロータ２、６との間で摩擦が生じ、摩擦によって静電気が発生する。錠剤Ａが静電気を帯びると、錠剤Ａがカセット容器１、５の内面やロータ２の錠剤配列盤３、あるいはロータ６の錠剤整列溝８に、静電気力により吸着し、錠剤Ａの排出に支障が出る可能性がある。【０００８】
特に、冬場の乾燥した時期には、静電気が発生しやすい。【０００９】
そこで、この発明は、錠剤と、カセット容器やロータとの摩擦により静電気が発生しても、カセット容器あるいは錠剤に帯電した電荷を簡単に除去することができる静電気除去部材及び静電気除去方法を提供することにより、静電気による錠剤の排出不良がないようにすることを課題とする。
【課題を解決するための手段】
【００１０】
前記の課題を解決するために、この発明に係る静電気除去部材は、金属等の摩擦帯電し難く、しかも多数の尖端凸部を有する放電体からなり、カセット容器内に、錠剤と共に収容されるものである。【００１１】
上記放電体の尖端凸部と、錠剤、カセット容器、ロータとが接触すると、摩擦帯電した電荷が、尖端凸部によって尖端放電され、静電気が除去される。【００１２】
したがって、静電気によって錠剤が、錠剤がカセット容器の内面やロータの錠剤配列盤、錠剤整列溝に吸着して、錠剤の排出に支障が出るということが未然に防止することができる。【００１３】
上記放電体としては、表面に金属溶射により多数の尖端凸部を設けた金属塊、先端が針状の尖端凸部を有する多数本の金属線の塊、細い金属線や炭素繊維等の導電性繊維をブラシ状にしたもの等を使用することができる。【００１４】
上記放電体を構成する金属の塊や金属線の塊は、カセット容器内で錠剤と共に回転又は運動し、尖端凸部と錠剤との接触回数が多くなるように、球形に形成することが望ましい。【００１５】
但し、錠剤が崩れやすいような場合には、放電体を構成する金属の塊や金属線の塊が、カセット容器内で転がらないようにしておくことが望ましい。この場合、放電体を固定する箇所は、例えば、ローターの表面や、カセット内壁面の一部又は複数個所であってもよい。【００１６】
また、その大きさは、ロータの錠剤排出孔に入り込まないように、錠剤排出孔よりも大きいことが望ましいが、あまり大きすぎると、カセット容器内で転がり難く、また、錠剤を破損するおそれがあるため、ロータの錠剤排出孔よりも少し大きい程度が望ましい。【００１７】
また、上記金属の塊や金属線の塊が小さい場合には、金属の塊や金属線の塊に紐を付けて、ロータの錠剤排出孔から誤って排出されないようにしてもよい。
【発明の効果】
【００１８】
この発明によれば、錠剤を収容するカセット容器内に、金属等の摩擦帯電し難く、多数の尖端凸部を有する放電体を配置することにより、カセット容器やロータとの摩擦により発生する静電気を、尖端放電により簡単に除去することができるので、静電気による錠剤の排出不良を未然に防止することができ、特に、乾燥しやすい冬季に効果がある。
【図面の簡単な説明】
【００１９】
【図１】この発明に係る第１の実施形態の放電体をカセット容器内に配置した錠剤分包機の錠剤フィーダの縦断側面図である。
【図２】この発明に係る第２の実施形態の放電体をカセット容器内に配置した錠剤分包機の錠剤フィーダの縦断側面図である。
【図３】この発明に係る第３の実施形態の放電体をカセット容器内に配置した錠剤分包機の錠剤フィーダの縦断側面図である。
【図４】この発明に係る第４の実施形態の放電体をカセット容器内に配置したバイアルマシンの錠剤フィーダの平面図である。
【図５】図１の第１の実施形態における放電体の拡大図である。
【図６】図２の第２の実施形態における放電体の拡大図である。
【図７】従来の錠剤分包機における錠剤フィーダの縦断側面図である。
【図８】従来のバイアルマシンにおける錠剤フィーダの平面図である。
【発明を実施するための形態】
【００２０】
以下、この発明の実施の形態を添付図面に基づいて説明する。
この発明に係る静電気除去部材は、金属等の摩擦帯電し難く、しかも多数の尖端凸部を有する放電体９からなる。
【００２１】
放電体９は、例えば、ステンレス又はアルミ製の球体の表面に、アルミ又はチタンを溶射して、アルミ又はチタンの微細な刺状の尖端凸部１０を多数設けたものを使用することができる。
【００２２】
この刺状の尖端凸部１０は、図５及び図６に点状に表している。
【００２３】
図１に示す実施形態は、錠剤分包機のカセット容器１内に、錠剤Ａと共に、球状の放電体９を収容した例である。
【００２４】
球状の放電体９は、図１に示すように、ロータ２の錠剤配列盤３よりも少し大きい程度に大きさに形成し、ロータ２の回転によって、錠剤Ａと共に転がり、錠剤Ａ、カセット容器１あるいはロータ２と効果的に接触し、錠剤Ａと、カセット容器１あるいはロータ２に帯電した電荷が刺状の尖端凸部１０に対して放電させ、摩擦によって発生した静電気が除去される。
【００２５】
図２に示す第２の実施形態では、球状の放電体９の大きさを図１に示す実施形態よりも小さく形成し、糸１１によってカセット容器１に吊り下げ、ロータ２の回転によって、跳ねるような感じで錠剤Ａ、カセット容器１あるいはロータ２に接触し、帯電した電荷が刺状の尖端凸部１０に対して放電するようにしている。
【００２６】
図６は、第２の実施形態における糸１１によってカセット容器１に吊り下げられる球状の放電体９の拡大図を示している。
【００２７】
次に、図３に示す第３の実施形態は、細い金属線１２をブラシ状にした放電体９をカセット容器１内に配置し、細い金属線１２の先端と帯電した錠剤Ａとを接触させて、細い金属線１２の先端と帯電した錠剤Ａとの間で、尖端放電を発生させて静電気を除去するようにしたものである。
【００２８】
次に、図４に示す実施形態は、錠剤カウントマシンのカセット容器５内に、錠剤Ａと共に、球状の放電体９を収容した例である。
【００２９】
球状の放電体９は、図４に示すように、ロータ６の錠剤整列溝８よりも少し大きい程度に大きさに形成し、ロータ６の回転によって、錠剤Ａと共に転がり、錠剤Ａ、カセット容器５あるいはロータ６と効果的に接触し、錠剤Ａと、カセット容器５あるいはロータ６に帯電した電荷が刺状の尖端凸部１０に対して放電させ、摩擦によって発生した静電気が除去される。
【００３０】
（実験例）
図１に示すカセット容器１内に、ステンレス又はアルミ製の球体の表面に、チタン又はアルミ溶射によって微細な刺状の尖端凸部１０を有する放電体９を収容して、錠剤Ａと共に、ロータ２を９０秒回転させた場合に、錠剤Ａに帯電した静電気量と、ロータ２の周囲のカセット容器１の壁面８か所、及びロータ２の上面の静電気量を測定したところ、表１に示す通り、放電体９を収容しない場合よりも、各測定場所において、放電体９を収容した場合の方が、静電気量が格段に低かった。
【００３１】
なお、静電気の発生実験は、温度２３℃、湿度１０％の恒温室内で行い、錠剤は、静電気が帯びやすい薬品の一つである商品名グラマリール２５ｍｇを使用して行った。また、ステンレス（ＳＵＳ３０４）の球体の直径は、１２．７ｍｍで、重さが８．２ｇである。アルミの球体の直径は、１２．７ｍｍで、重さが２．７ｇである。ステンレスの球体にアルミ溶射したものは、ＳＵＳ球Ａｌ溶射、ステンレスの球体にチタン溶射したものは、ＳＵＳ球Ｔｉ溶射、アルミの球体にアルミ溶射したものは、Ａｌ球Ａｌ溶射、アルミの球体にチタン溶射したものは、Ａｌ球Ｔｉ溶射とそれぞれ標記する。
【００３２】
【表１】
2012133094.tif 000003
【符号の説明】
【００３３】
Ａ  錠剤
１、５  カセット容器
２、６  ロータ
３  錠剤配列盤
４、７  錠剤排出孔
８  錠剤整列溝
９  放電体
１０  尖端凸部
１１  糸
１２  金属線
【図１】
2012133094.tif 000004
【図２】
2012133094.tif 000005
【図３】
2012133094.tif 000006
【図４】
2012133094.tif 000007
【図５】
2012133094.tif 000008
【図６】
2012133094.tif 000009
【図７】
2012133094.tif 000010
【図８】
2012133094.tif 000011
【国際調査報告】
2012133094.tif 000012
2012133094.tif 000013
2012133094.tif 000014
2012133094.tif 000015